【手続補正書】
【提出日】平成15年10月9日(2003.10.9)
【手続補正１】
【補正対象書類名】特許請求の範囲
【補正対象項目名】全文
【補正方法】変更
【補正の内容】
【特許請求の範囲】
【請求項１】
一般式
(化１)      核−［デンドライト1］n［デンドライト2］m
を有する発光デンドリマーであり、この式において、「核」は原子又は基を表し、ｎ及びｍは、互いに同じ又は異なり、それぞれが少なくとも１の整数を表し、各「デンドライト1」は、ｎが２以上のとき互いに同じことも異なることもあり、各「デンドライト2］は、ｍが２以上のとき互いに同じことも異なることもあり、少なくともその構造の１部が完全に共役されており、アリール及び／又はヘテロアリール基及び選択的に、ビニル及び／又はアセチレニル基からなり、前記（ヘテロ）アリール、ビニル及びアセチレニル基のＳＰ2又はＳＰ2混成軌道炭素原子によって結合されており、「デンドライト1」における少なくとも１つの分岐点及び／又は分岐点間の結合が［デンドライト2］のそれと異なり、「核」が２以上の共役樹枝分岐が付着された第１（ヘテロ）アリール基のＳＰ２混成（環状）炭素原子に結合している単一結合で終結しており、前記環状炭素は前記完全に共役された「デンドライト1」又は［デンドライト2］の一部を形成しており、「核」は前記「デンドライト1」又は［デンドライト2］の他方の第１分岐点の結合で終結し、少なくとも「核」、「デンドライト1」又は［デンドライト2］は冷光放射性を有している樹枝分岐を表している。
【請求項２】
少なくとも［デンドライト1］及び［デンドライト2］の１つが、
アリール−（ビニル）X−［（アリール’）−（ビニル）y］Z−アリール、
アリール−（アセチレニル）X−［（アリール’）−（アセチレニル）y］Z−アリール、又は、
アリール−（ビニル）x−［（アリール’）z−（アセチレニール）y−アリール
結合であり、ここで、ｘ，ｙ及びｚは、同じか、又は異なる０から３までの整数であり、ビニル、アリール’及びアセチレニ-ル基は変動し得、アリールはヘテロアリールを含み、アリール’はアリールと同じ又は異なり、前記アリール基は分岐点である請求項１に記載のデンドリマー。
【請求項３】
少なくとも［デンドライト1］及び［デンドライト2］の１つが、
アリール−（アリール）a−アリール結合で、他方が、アリール−（ビニル）x−［（アリール’）v−（アセチレニール）y］z−アリール結合であり、ここで、ｘは１から３までの整数であり、ａ、ｙ、ｖ及びｚは、同じか、又は異なる０から３までの整数であり、前記アリール基は分岐点である請求項２に記載のデンドリマー。
【請求項４】
少なくとも［デンドライト1］及び［デンドライト2］の１つが、
アリール−（アリール’）a−アリール結合、ここでａは０から３までの整数であり、他方の［デンドライト1］及び［デンドライト2］の１つが、アリール−（アセチレニル）d−［（アリール’）e−（アセチレニル）f］g−アリール結合、ここでｄは１から３までの整数であり、ｆは０から３までの整数であり、ｅ及びｇは同じか異なる０から３までの整数であり、前記アリール基は分岐点である請求項２に記載のデンドリマー。
【請求項５】
少なくとも［デンドライト1］及び［デンドライト2］の１つが、アリール−（ビニル）x−［（アリール’）v−（ビニル）y］z−アリール結合であり、他方がアリール−（アセチレニル）d−［（アリール’）e−（アセチレニル）f］g−アリール結合、ここでｄ及びＸは同じか異なる１から３までの整数であり、ｙ及びｆは同じか異なる０から３までの整数であり、ｖ、ｅ、ｚ及びｇは同じか異なる０から３までの整数であり、前記アリール基は分岐点である請求項２に記載のデンドリマー。
【請求項６】
少なくとも［デンドライト1］及び［デンドライト2］の１つにおける隣接する分岐点間の結合が必ずしも全て同じではない請求項３ないし５のいずれかに記載のデンドリマー。
【請求項７】
[デンドライト1］及び［デンドライト2］が共に完全に共役構造をあらわす請求項１ないし６のいずれかに記載のデンドリマー。
【請求項８】
[デンドライト1］が［デンドライト2］と、単に異なる結合において異なるときに、２つの結合が異なるとみなされるためには、前記結合の１つは、前記２つの結合の他方に存在しない少なくとも１つのアリール、ヘテロアリール、ビニル又はアセチレニル基を含まなければならないとする請求項１ないし７のいずれかに記載のデンドリマー。
【請求項９】
一般式
(化２)    核−［デンドライト］n
を有する発光デンドリマーであり、この式において、「核」は原子又は基を表し、ｎは少なくとも１の整数を表し、各「デンドライト」は互いに同じことも異なることもあり、本来的に少なくとも部分的に共役された樹枝分岐構造を有し、前記構造はアリール及び／又はヘテロアリール基及び選択的に、ビニル及び／又はアセチレニル基からなり、これらは前記（ヘテロ）アリール、ビニル及びアセチレニル基のＳＰ2又はＳＰ2混成軌道炭素原子によって結合されており、ここで、前記「デンドライト」の隣接する分岐点の少なくとも１つのペア間の結合は、もし２つの結合が異なると見なされると、１つの前記結合は前記２つの結合の他方に存在しない少なくとも１つのアリール、ヘテロアリール、ビニル又はアセチレニル基を含み、「核」が２以上の共役樹枝分岐が付着された第１（ヘテロ）アリール基のＳＰ2混成（環状）炭素原子に結合している単一結合で終結しており、前記環状炭素は前記完全に共役された「デンドライト」の一部を形成しており、「核」及び／又は「デンドライト」は冷光放射性を有している。
【請求項１０】
異なるタイプの結合が、アリール−（アリール’）a−アリール、アリール−（ビニル）X−［（アリール’）V−（ビニル）y］Z−アリール及びアリール−（アセチレニル）d−［（アリール’）e−（アセチレニル）f］g−アリールであり、ここでｘ及びｄは同じか異なる１から３までの整数であり、ｙ及びｆは同じか異なる０から３までの整数であり、ａ，ｇ、ｚ、ｅ及び同じか異なる０から３までの整数であり、前記アリール基は分岐点である請求項９に記載のデンドリマー。
【請求項１１】
ａが０又は１であり、ｘ及びｄが１であり、ｚ及びｇが０である請求項２ないし５のいずれかに記載のデンドリマー。
【請求項１２】
［デンドライト］、［デンドライト1］又は［デンドライト2］の少なくとも１つが１又はそれ以上の（ヘテロ）アリール結合基を有する請求項１ないし１１のいずれかに記載のデンドリマー。
【請求項１３】
本来的に少なくとも部分的に共役分子構造を有しない［デンドライト］、［デンドライト1］又は［デンドライト2］の少なくとも１つからなる請求項１ないし１２のいずれかに記載のデンドリマー。
【請求項１４】
固体状態で冷光放射性のある請求項１ないし１３のいずれかに記載のデンドリマー。
【請求項１５】
核が冷光放射性である請求項１４に記載のデンドリマー。
【請求項１６】
デンドロンの少なくとも１つの構成部が冷光放射性である請求項１４に記載のデンドリマー。
【請求項１７】
デンドロンにおいて、核のホモ−ルモ（ＨＯＭＯ−ＬＵＭＯ）エネルギーギャップが共役部のそれより低い請求項１ないし１６のいずれかに記載のデンドリマー。
【請求項１８】
デンドライトのある部分におけるホモ−ルモ（ＨＯＭＯ−ＬＵＭＯ）エネルギーギャップが表面から核に付着する点にしたがって減少する請求項１ないし１７のいずれかに記載のデンドリマー。
【請求項１９】
核が、１つまたは２以上のベンゼン、ピリジン、ピリミジン、トリアジン、チオフェン、フルオレン、ジビニルベンゼン、ジスチリルエチレン、ジビニルピリジン、ピリミジン、ジビニルチオフェン、オキシジアゾール、コロネーンの１つ又はそれ以上の部、蛍光染料若しくはマーカー化合物、有機金属錯体、プラチナポルフィリン若しくはジスチリルアントラセン、又はポルフィリン若しくはジスチルベンゼン部である請求項１ないし１８のいずれかに記載のデンドリマー。
【請求項２０】
アリール（又はアリール’）基がベンゼン、ピリジン又はトリアジンである請求項１ないし１９のいずれかに記載のデンドリマー。
【請求項２１】
少なくとも１つの表面基が前記共役デンドライトの遠位（ヘテロ）アリール環の炭素原子に付着している請求項１ないし２０のいずれかに記載のデンドリマー。
【請求項２２】
少なくとも１つの表面基が、更なる反応性アルケン、（メス）アクリレート、硫黄含有若しくはシリコン含有基、スルフォニル基、ポリエチル基、Ｃ1からＣ15までのアルキル基、アミノ基、モノ−、ジ−若しくはトリＣ１からＣ１５までのアルキルアミノ基、ＣＯＯＲ基（ここで、Ｒは水素又はＣ１からＣ１５までのアルキル）、ＯＲ基（ここで、Ｒは水素、アリール、又はＣ1からＣ15までのアルキル若しくはアルケニル）、Ｏ2ＳＲ基（ここで、ＲはＣ1からＣ15までのアルキル又はアルケニル）、−ＳｉＲ3基（ここで、Ｒ基は同一又は異なり、水素、Ｃ1からＣ15までのアルキル又はアルケニル）、又はＳＲ’基（Ｒ’はアリール若しくはＣ1からＣ15までのアルキル又はアルケニル）、アリール、又はヘテロアリールである請求項２１に記載のデンドリマー。
【請求項２３】
表面基が露光パターニングによる処理を許容するものである請求項２２に記載のデンドリマー。
【請求項２４】
請求項１ないし２３のいずれかに記載のデンドリマーを含む発光装置。
【請求項２５】
発光要素が請求項１ないし２４にいずれかに記載のデンドリマーである請求項２４に記載の発光装置。
【請求項２６】
前記デンドリマーの層と共に、他の材料の１又は２以上の層を含む請求項２４又は２５に記載の発光装置。
【請求項２７】
正孔輸送層及び/又は電子輸送層を含む請求項２６に記載の発光装置。
【請求項２８】
デンドリマーを含む層が他の材料も含む請求項２４ないし２７のいずれかに記載の発光装置。
【請求項２９】
前記他の材料が有機材料である請求項２８に記載の発光装置。
【請求項３０】
発光ダイオード（ＬＥＤ）である請求項２４ないし２９のいずれかに記載の発光装置。